(57)【特許請求の範囲】
【請求項１】
第一穴を備えると共に、中空状を呈する矩形の殻体であるケースと、該第一穴に対応するようにケースの内部に設置される引き出しと、該ケースの上面に設置されると共に、該第一穴に対応するガイド穴が形成されるマットを備える、本体と、
前記本体の外側面に取り付けられると共に、スイッチを備える支持フレームと、
前記本体に連結され、ケースの外側面に、ケースの内部と連通する吸気管が取り付けられる、真空モータと、
前記本体の一側面に取り付けられる圧力調節弁と、を有することを特徴とする負圧式排便補助型便器付き椅子。
【請求項２】
前記本体のケースに内部空間が形成され、その一側面に該内部空間と連通する開口が形成されると共に、上面に第一穴が形成され、ケースの開口の周縁に密閉シートが取り付けられ、
前記本体の引き出しは、ケースの内部空間に嵌め込まれ、上部に開口が形成され、一側面に、前記密閉シートと密接する密着シートが設けられ、
前記本体はさらに収集皿を有し、該収集皿は、第一穴に対応するように引き出し内に設置されることを特徴とする請求項１に記載の負圧式排便補助型便器付き椅子。
【請求項３】
前記支持フレームは、２対の棒体及びスイッチを備え、該各対の棒体は、互いに相対するように、ケースの開口側と隣接する両側面に縦方向に設置され、該各対の棒体の間に横棒が設けられ、そのうちの１つの横棒にスイッチが取り付けられることを特徴とする請求項１または２に記載の負圧式排便補助型便器付き椅子。
【請求項４】
前記真空モータはさらに制御弁を備え、該制御弁は、ケースの側面に取り付けられ、前記吸気管の一端が制御弁を通過してケースの内部空間と連通することを特徴とする請求項１または２に記載の負圧式排便補助型便器付き椅子。
【請求項５】
前記真空モータはさらに制御弁を備え、該制御弁は、ケースの側面に取り付けられ、前記吸気管の一端が制御弁を通過してケースの内部空間と連通することを特徴とする請求項３に記載の負圧式排便補助型便器付き椅子。
【発明の詳細な説明】
【技術分野】
【０００１】
本発明は、特に空気を薄くして負圧状態にすることによって排泄しやすくする負圧式排便補助型便器付き椅子に関するものである。
【背景技術】
【０００２】
近年益々高齢化社会となり、高齢者の介護が重要な課題となっている。多くの高齢者は、加齢に伴い体の機能が徐々に低下して歩行が困難になり、特に介護中の高齢者は排泄時に、介護者がサポートしながら車椅子を使用しなければ、用を足すことができないので、介護者にかなりの負担がかかっていた。
既存の便器付き椅子は、その内部に収集皿が設置されると共に、椅子の上面にマット及び穴が設置されることから、介護者が使用者の下着を下ろしてあげれば、使用者はそのまま椅子に座って排泄できるので、介護者の負担を軽減することができる。
【発明の概要】
【発明が解決しようとする課題】
【０００３】
しかしながら、既存の便器付き椅子は、歩行が困難な者が使用することはできるが、消化機能が低下している者にとっては排泄し難いという問題があった。
【課題を解決するための手段】
【０００４】
本考案に係る負圧式排便補助型便器付き椅子は、
第一穴を備えると共に、中空状を呈する矩形の殻体であるケースと、該第一穴に対応するようにケースの内部に設置される引き出しと、該ケースの上面に設置されると共に、該第一穴に対応するガイド穴が形成されるマットを備える、本体と、
前記本体の外側面に取り付けられると共に、スイッチを備える支持フレームと、
前記本体に連結され、ケースの外側面に、ケースの内部と連通する吸気管が取り付けられる、真空モータと、
前記本体の一側面に取り付けられる圧力調節弁と、を有するものである。
【発明の効果】
【０００５】
本発明の負圧式排便補助型便器付き椅子は、真空モータがケース内の空気を薄くして負圧状態にすることにより、使用者が本体のマットに座って排便、排尿することをサポートし、その排出した排出物はガイド穴から第一穴を通過して収集皿に集めることができる。また、圧力調節弁を備えることから、使用者がケース内の圧力、つまり、負圧により吸引力を自由に調節することができるので、安心且つ快適に使用することができる。
【図面の簡単な説明】
【０００６】
【図１】本発明に係る負圧式排便補助型便器付き椅子の部分透視斜視図である。
【図２】本発明に係る負圧式排便補助型便器付き椅子の引き出しを引き出した状態を示す斜視図である。
【図３】本発明に係る負圧式排便補助型便器付き椅子の部分断面透視側面図である。
【図４】本発明に係る負圧式排便補助型便器付き椅子における圧力調節弁の密閉状態を示す部分断面図である。
【図５】本発明に係る負圧式排便補助型便器付き椅子における圧力調節弁の開放状態を示す部分断面図である。
【発明を実施するための形態】
【０００７】
以下、添付図面を参照しつつ、本発明の好適な実施形態について詳細に説明する。
【０００８】
図１に示すように、本発明に係る負圧式排便補助型便器付き椅子は、本体１０と、支持フレーム２０と、真空モータ３０と、圧力調節弁４０を有する。
【０００９】
図１及び図２に示すように、前記本体１０は、ケース１１と、引き出し１２と、マット１３と、収集皿１４を備え、そのうち、ケース１１は、内部空間を有する矩形の殻体であり、その一側面に該内部空間と連通する開口が形成され、第一穴１１１と、密閉シート１１２と、第二穴１１３を備え、該第一穴１１１は、ケース１１の上面に形成され、該密閉シート１１２は、ケース１１の開口の周縁に取り付けられ、該第二穴１１３は、ケース１１における、開口と反対する側に形成される。
前記引き出し１２は、ケース１１の開口から内部空間に嵌め込まれ、その内部に上面に開口を有する収容空間が形成され、一側面によりサイズの大きい密着シート１２１が設けられ、該引き出し１２をケース１１に収容した時には、密着シート１２１が密閉シート１１２に密接するように当接される。また、前記マット１３は、ケース１１の上面に設置され、第一穴１１１に対応するガイド穴１３１が形成され、前記収集皿１４は、第一穴１１１に対応するように、引き出し１２の収容空間に設置される。
【００１０】
前記支持フレーム２０は、本体１０に取り付けられ、２対の棒体２１及びスイッチ２２を備え、該各対の棒体２１は、互いに相対するように、ケース１１の開口側と隣接する両側面に縦方向に設置され、該各対の棒体２１の間に横棒２１１が設けられ、その横棒２１１は、使用者が取っ手として使用することができ、該スイッチ２２は、そのうちの１つの横棒２１１に取り付けられる。
【００１１】
前記真空モータ３０は、本体１０に連結され、吸気管３１及び制御弁３２を備え、そのうち、吸気管３１の一端は真空モータ３０に連結され、該制御弁３２はケース１１の側面に取り付けられ、該吸気管３１の他端は、制御弁３２を通過してケース１１の内部空間と連通し、該制御弁３２は、吸気管３１とケース１１との通路の遮断及び開放を制御することができる。
また、その吸気管３１及び制御弁３２は、ケース１１を密閉状態に維持するために、ケース１１の側面に密着するように取り付けられる。
尚、本発明の真空モータ３０は、真空の程度を制御するために、低真空ポンプを採用することが好ましい。
【００１２】
図３及び図４に示すように、前記圧力調節弁４０は、本体１０のケース１１に取り付けられ、弁本体４１と、ボタン４２と、密閉蓋４３と、密閉凸縁４４と、弾性部材４５を備え、そのうち、弁本体４１は、ケース１１の第二穴１１３に嵌め込まれ、その内部にケース１１を貫通する貫通穴が形成され、該貫通穴の内壁面にネジ山４１１が設けられ、該ボタン４２は、押圧ロッド４２１及び螺合部４２２を備え、該押圧ロッド４２１は、ボタン４２の一側から伸びて、第二穴１１３の内部に貫設され、該螺合部４２２はネジ山を備え、押圧ロッド４２１の一端に設けられ、弁本体４１のネジ山４１１に螺合され、また、該螺合部４２２の末端はケース１１の内部に突出可能であり、該密閉蓋４３は、押圧ロッド４２１の末端に取り付けられ、該密閉凸縁４４は、弁本体４１の内部に位置するように押圧ロッド４２１に設けられ、該弾性部材４５は、弁本体４１の内部に位置するように押圧ロッド４２１に環装され、両端がそれぞれ密閉凸縁４４及び弁本体４１の内側面に当接する。
【００１３】
図１及び図３に示すように、本発明の負圧式排便補助型便器付き椅子を使用する時は、使用者が本体１０のマット１３の上に座り、スイッチ２２を入れてON状態にして真空モータ３０を駆動する。これにより、ケース１１内の空気が吸気管３１に吸い込まれ、ケース１１内の気圧が徐々に下がって負圧となり、その負圧による吸引力によって、使用者の排出物を吸い込んで排便及び排尿しやすくなり、また、排出物がガイド穴１３１及び第一穴１１１を通過して収集皿１４に集めることができる。
【００１４】
図４及び図５に示すように、本発明の圧力調節弁４０は、手動式の調節装置であり、そのボタン４２の押圧ロッド４２１は螺合手段によって弁本体４１の貫通穴に貫設され、通常に圧力調節弁４０の密閉蓋４３は弁本体４１の外側面に密接可能に設けられるので、圧力調節弁４０を密閉状態に維持することができる。尚、その真空モータ３０を駆動すると、ケース１１内の空気を薄くして負圧状態にすることができる。
一方、そのケース１１内の負圧が大き過ぎる時は、ボタン４２を捻って押圧ロッド４２１を回転させると、押圧ロッド４２１が弁本体４１に対して軸方向へ移動することから、密閉凸縁４４が弾性部材４５を押圧して密閉蓋４３を弁本体４１の外側面から離間させて外部の空気を流入させるので、ケース１１内の圧力を調節することができる。また、その密閉蓋４３の、弁本体４１の外側面からの離間距離によって、外部からの空気の流入量を制御することができる。
【００１５】
上述したように、本発明の負圧式排便補助型便器付き椅子は、真空モータ３０がケース１１内の空気を吸い込んで負圧状態にすることによって、使用者の排便や排尿をしやすくし、また、本発明においては、圧力調節弁４０を有することから、使用者がケース１１内の圧力を調節することにより、負圧による吸引の程度を自由に調節できるので、安心且つ快適に使用することができる。
【００１６】
以上は本発明の好ましい実施形態の説明に過ぎず、本発明を如何なる形で限定するものではない。通常の知識を有する当該分野の者が、本発明の技術要旨を逸脱しない範囲で、以上に開示された技術内容に基づいてなされた同等効果を有する如何なる簡単な修正或いは変更は、いずれも本発明の保護範囲内に含まれるものとする。
【図１】
0006353047.tif 000002
【図２】
0006353047.tif 000003
【図３】
0006353047.tif 000004
【図４】
0006353047.tif 000005
【図５】
0006353047.tif 000006